(57)【要約】【課題】可動式のヘッドレストを有する車両用シートにおいて、再利用性に優れ、且つ、簡易な構造を有する車両用シートを提供する。【解決手段】車両用シートには、ヘッドレスト３１が前方に移動可能なように、該ヘッドレストを支持するヘッドレスト支持フレーム２１がシートバックフレーム１１に回動可能に支持されている。車両用シートは、シートバックフレームの上部及びヘッドレスト支持フレームの間で、該シートバックフレームに移動可能に支持された楔形のカム部材３３と、カム部材に一端３７ａが連結され、シートバックフレームの下部に他端３７ｂが連結されたワイヤ３７とを備える。車両後突時の乗員の上半身の後方移動によりワイヤが引っ張られ、カム部材が移動して、ヘッドレストが前方に移動するようにヘッドレスト支持フレームが回動する。【選択図】図１
2008074295.tif 000002
【特許請求の範囲】
【請求項１】
ヘッドレストが前方に移動可能なように、該ヘッドレストを支持するヘッドレスト支持フレームがシートバックフレームに移動可能に支持されてなる車両用シートにおいて、
前記シートバックフレームの上部及び前記ヘッドレスト支持フレームの間で、該シートバックフレームに移動可能に支持され、一側方向に移動することで前記シートバックフレームの上部及び前記ヘッドレスト支持フレームの間の相対距離が増加するようにこれらシートバックフレームの上部及びヘッドレスト支持フレームと係合する楔形のカム部材と、
前記カム部材に一端が連結され、前記シートバックフレームの中間部又は下部に他端が連結されたワイヤとを備え、
車両後突時の乗員の上半身の後方移動により前記ワイヤが引っ張られ、前記カム部材が一側方向に移動して、前記ヘッドレストが前方に移動するように前記ヘッドレスト支持フレームが移動することを特徴とする車両用シート。
【請求項２】
請求項１に記載の車両用シートにおいて、
前記ワイヤの一端及び他端のいずれか一方は、該ワイヤに緩やかに発生する張力を吸収するダンパー機構を介して前記カム部材及び前記シートバックフレームの中間部又は下部のいずれか一方に連結されていることを特徴とする車両用シート。
【請求項３】
請求項１又は２に記載の車両用シートにおいて、
前記カム部材を他側方向に付勢する付勢手段を備えたことを特徴とする車両用シート。
【請求項４】
請求項１〜３のいずれか一項に記載の車両用シートにおいて、
前記ヘッドレストが後方に移動する前記ヘッドレスト支持フレームの戻り移動を規制するラチェット機構を備えたことを特徴とする車両用シート。
【発明の詳細な説明】
【技術分野】
【０００１】
本発明は、可動式のヘッドレストを有する車両用シートに関するものである。
【背景技術】
【０００２】
従来、車両用シートにおいて、車両後突時の乗員の安全性を向上させるため、衝撃等に基づきヘッドレストを前方に移動させ、乗員の頭部を後側から支えるものが提案されている。
【０００３】
例えば、特許文献１に記載された車両用シートでは、シートバック（３）の上部の横方向に延びるアッパフレーム部（６）に、該アッパフレーム部に沿う駆動力を発生するアクチュエータユニット（１６）を取り付けている。この場合、後突検知用のセンサ（２３）により所定値を超える衝撃が検出されると、これに基づき発生されるアクチュエータユニットの駆動力がカム部材（２８）に伝達され、該カム部材に押圧されるヘッドレスト支持フレーム（８）が回動する。これにより、ヘッドレスト支持フレームに支持されたヘッドレストが乗員の頭部に接近すべく前方に移動して、該頭部を後側から支える。
【０００４】
また、特許文献２に記載された車両用シートでは、ヘッドレスト（６）を支持するためのヘッドレスト支持フレーム（８）をその中間部においてシートバックフレーム（２）に回動可能に支持し、且つ、該ヘッドレスト支持フレームの下端部に乗員の後方移動を受ける受圧部材（１０）を設けている。この場合、車両後突時に乗員の上半身が後方移動すると、受圧部材が後方に向けて強く押圧され、ヘッドレスト支持フレームがその回動軸周りに後方に回動する。これにより、ヘッドレストが乗員の頭部に接近すべく前方に移動して、該頭部を後側から支える。また、この車両用シートでは、ヘッドレストの作動後のヘッドレスト支持フレームの戻り回動を防止するためにラチェット機構（１４）を設けることが提案されている。
【特許文献１】特開２００４−５０９２４号公報
【特許文献２】特開２００２−２７４２４０号公報
【発明の開示】
【発明が解決しようとする課題】
【０００５】
ところで、特許文献１では、後突検知用のセンサを設け、該センサの検出信号に基づいてアクチュエータユニットにより駆動力を発生しヘッドレストを作動させることになるため、複雑なシステムを構成する必要があり、製造コストの増大を余儀なくされる。
【０００６】
加えて、アッパフレーム部近傍の限られたスペースに搭載可能であり、且つ、瞬間的に十分な駆動力を発生し得るアクチュエータユニットとしては、現状の技術常識から考えて火薬式のものを採用せざるを得ない。この場合、ヘッドレストの作動の都度にアクチュエータユニット（点火部）を交換しなければならず、例えば軽度な車両後突時の場合も含めると、利用者の費用負担が大きくなってしまう。一方、ヘッドレストの作動の感度を下げてヘッドレストの作動頻度を低減することも考えられるが、軽度な車両後突時であっても鞭打ちが発生し得ることを考えれば現実的ではない。
【０００７】
また、特許文献２では、ヘッドレスト支持フレームをその回動軸周りに回動させる簡易な機構を採用しているため、車両後突時以外であっても、車両急加速時や乗員のひざつき動作などでヘッドレストが動いてしまい、煩わしい。また、このような煩わしさを回避するため、こうした車両用シートでは、受圧部材を乗員から予め遠ざけておくことが主流になっているが、この場合には、実際の車両後突時のヘッドレストの反応速度が低下してしまい、鞭打ち低減効果が損なわれる可能性がある。また、戻り回動防止用のラチェット機構は、その回動規制を解除するための操作レバー（２２）を備えるため、その突出分だけ車両用シートの見栄えが損なわれてしまう。
【０００８】
本発明の目的は、可動式のヘッドレストを有する車両用シートにおいて、再利用性に優れ、且つ、簡易な構造を有する車両用シートを提供することにある。
【課題を解決するための手段】
【０００９】
上記問題点を解決するために、請求項１に記載の発明は、ヘッドレストが前方に移動可能なように、該ヘッドレストを支持するヘッドレスト支持フレームがシートバックフレームに移動可能に支持されてなる車両用シートにおいて、前記シートバックフレームの上部及び前記ヘッドレスト支持フレームの間で、該シートバックフレームに移動可能に支持され、一側方向に移動することで前記シートバックフレームの上部及び前記ヘッドレスト支持フレームの間の相対距離が増加するようにこれらシートバックフレームの上部及びヘッドレスト支持フレームと係合する楔形のカム部材と、前記カム部材に一端が連結され、前記シートバックフレームの中間部又は下部に他端が連結されたワイヤとを備え、車両後突時の乗員の上半身の後方移動により前記ワイヤが引っ張られ、前記カム部材が一側方向に移動して、前記ヘッドレストが前方に移動するように前記ヘッドレスト支持フレームが移動することを要旨とする。
【００１０】
請求項２に記載の発明は、請求項１に記載の車両用シートにおいて、前記ワイヤの一端及び他端のいずれか一方は、該ワイヤに緩やかに発生する張力を吸収するダンパー機構を介して前記カム部材及び前記シートバックフレームの中間部又は下部のいずれか一方に連結されていることを要旨とする。
【００１１】
請求項３に記載の発明は、請求項１又は２に記載の車両用シートにおいて、前記カム部材を他側方向に付勢する付勢手段を備えたことを要旨とする。
請求項４に記載の発明は、請求項１〜３のいずれか一項に記載の車両用シートにおいて、前記ヘッドレストが後方に移動する前記ヘッドレスト支持フレームの戻り移動を規制するラチェット機構を備えたことを要旨とする。
【発明の効果】
【００１２】
請求項１に記載の発明では、車両後突時の乗員の上半身の後方移動により前記ワイヤが引っ張られ、前記カム部材が一側方向に移動して、前記ヘッドレストが前方に移動するように前記ヘッドレスト支持フレームが移動する。これにより、前記ヘッドレストが乗員の頭部に接近して、該頭部を後側から支える。この場合、前記ヘッドレストの作動は、車両後突時の乗員の上半身の後方移動に基づいて、そのときに発生するワイヤの張力を利用して行うため、例えば後突検知用のセンサを設けたり、該センサの検出信号に基づいて前記ヘッドレストを適宜のアクチュエータにて駆動するといった複雑なシステムを構成する必要はなく、その構造を極めて簡易なものにできる。
【００１３】
また、前記ワイヤの張力を解放することで、前記ヘッドレストを容易に元の状態に復帰させることができるため、例えば軽度な後突により該ヘッドレストが作動した場合であっても、繰り返し使用することができる。
【００１４】
請求項２に記載の発明では、前記ワイヤに緩やかに発生する張力は、前記ダンパー機構により吸収される。従って、例えば乗員のひざつき動作などで前記ワイヤが緩やかに引っ張られる場合には、その発生する張力が前記ダンパー機構にて吸収されることで、前記ヘッドレストの誤作動を抑制することができる。
【００１５】
請求項３に記載の発明では、前記付勢手段により、前記カム部材が他側方向に付勢されることで、該カム部材の意図しない一側方向への移動によって前記ヘッドレストが誤作動したりすることを抑制できる。
【００１６】
請求項４に記載の発明では、前記ラチェット機構により、前記ヘッドレスト支持フレームの戻り移動が規制されることで、車両後突時において、前記ヘッドレストによる頭部の支持を好適に行うことができる。
【発明を実施するための最良の形態】
【００１７】
以下、本発明を具体化した一実施形態を図面に従って説明する。
図１は、本実施形態に係る車両用シートの骨格を示す斜視図である。同図に示されるように、この車両用シートは、シートバックの骨格をなすシートバックフレーム１１を備えるとともに、該シートバックフレーム１１は、車両の幅方向（車両の前方に向かって左右方向）で対をなす板材からなるサイドフレーム１２を有し、更に各サイドフレーム１２の上端部でこれら両サイドフレーム１２間を連結する筒材からなるアッパパイプ１３を有する。
【００１８】
なお、アッパパイプ１３は、車両の幅方向に延びる本体部１３ａと、該本体部１３ａの両端部にそれぞれ連続する態様で下方に延びる一対の腕部１３ｂとを有してＵ字状に曲成されている。そして、両腕部１３ｂは、それぞれの上端部において、車両の幅方向に延びる板材からなるアッパフレーム１４にて連結されている。このアッパフレーム１４は、その中央部から下方に延出する延出部１４ａを形成するとともに、該延出部１４ａの下端にガイド溝１４ｂを形成する。また、両サイドフレーム１２は、それぞれの下端部において、車両の幅方向に延びる板材からなるロアフレーム１５にて連結されている。
【００１９】
前記各腕部１３ｂの下端部には、車両の前方に延出する板材からなるシートバックフレーム側ヒンジブラケット１６が接合されるとともに、これらシートバックフレーム側ヒンジブラケット１６には、筒材からなるヘッドレスト支持フレーム２１が移動（回動）可能に支持されている。すなわち、前記ヘッドレスト支持フレーム２１は、車両の幅方向に延びる本体部２１ａと、該本体部２１ａの両端部にそれぞれ連続する態様で下方に延びる一対のレバー部２１ｂとを有してＵ字状に曲成されており、各レバー部２１ｂの下端部において、ヒンジピン２２により前記シートバックフレーム側ヒンジブラケット１６に回動可能に支持されている。
【００２０】
なお、前記各シートバックフレーム側ヒンジブラケット１６には、各レバー部２１ｂの回動軌跡を遮るように車両の幅方向内側に突出して、前記ヘッドレスト支持フレーム２１の一側方向（図１において反時計回転方向）への回動範囲を規制する回転ストッパ１６ａが一体形成されている。
【００２１】
前記ヘッドレスト支持フレーム２１の本体部２１ａには、上下方向に軸線の延びる四角筒状の一対のサポートブラケット２３が車両の幅方向で対称となるように接合されるとともに、各サポートブラケット２３には、樹脂材からなるヘッドレストステー摺動用サポート２４が装着されている。そして、これらヘッドレストステー摺動用サポート２４には、ヘッドレスト３１の一対のステー３２がそれぞれ挿入される。つまり、ヘッドレスト３１は、各ステー３２がヘッドレストステー摺動用サポート２４に挿入されることで、前記ヘッドレスト支持フレーム２１のサポートブラケット２３に着脱自在に支持される。
【００２２】
なお、各サポートブラケット２３は、前記本体部１３ａよりも上方に突出するようにその軸線方向の長さが設定されている（図２参照）。そして、各サポートブラケット２３には、前記ヘッドレスト支持フレーム２１の他側方向（図２において時計回転方向）への回動に伴い前記本体部１３ａと弾性的に当接して当該方向への回動範囲を規制するクッションゴム２５が接合されている。
【００２３】
また、前記アッパパイプ１３の各腕部１３ｂには、シートバックフレーム側ヒンジブラケット１６の近傍となるその下端部において、車両の幅方向に延びるワイヤ２６の各先端部が固着されている。そして、このワイヤ２６には、各レバー部２１ｂに一端の係止されたテンションスプリング２７の他端が係止されている。これにより、前記ヘッドレスト支持フレーム２１は、前記ヒンジピン２２を中心に前記サポートブラケット２３に接合されたクッションゴム２５が前記本体部１３ａに当接する側に付勢されている。
【００２４】
前記アッパフレーム１４の中央部には、前記ヘッドレスト支持フレーム２１の本体部２１ａとの間に挟まれる態様で、楔形のカム部材３３がアッパフレーム１４に沿う上下方向に移動可能に支持されている。このカム部材３３は、アッパフレーム１４からの突出長が該アッパフレーム１４に沿う下方に向かって漸減するように成形された複数（４つ）の傾斜面３３ａを有するとともに、各隣り合う傾斜面３３ａ間に設定された段差３３ｂを有する。つまり、カム部材３３は、全体としてはアッパフレーム１４に沿う下方に向かって先鋭となる段付き形状を呈している。
【００２５】
従って、カム部材３３は、アッパフレーム１４に沿う下方に移動することで該アッパフレーム１４及びヘッドレスト支持フレーム２１の本体部２１ａの間の相対距離が増加するようにこれらアッパフレーム１４及びヘッドレスト支持フレーム２１と係合する。
【００２６】
また、このカム部材３３には、アッパフレーム１４の上端に一端の係止されたテンションスプリング３４の他端が係止されている（図２参照）。これにより、前記カム部材３３は、アッパフレーム１４に沿う上方側、即ちアッパフレーム１４及びヘッドレスト支持フレーム２１の本体部２１ａの間の相対距離が減少する側に付勢されている。
【００２７】
なお、図２に示すように、前記本体部２１ａには、カム部材３３に対向して突起状の係止片３５が固定されている。この係止片３５は、カム部材３３がアッパフレーム１４に沿う下方に移動することで、傾斜面３３ａが摺動されるとともに、段差３３ｂで係止されてカム部材３３のアッパフレーム１４に沿う上方への戻り移動を規制する。このように、カム部材３３の戻り移動を規制する該カム部材３３及び係止片３５の係合は、いわゆるラチェット機構を構成する。
【００２８】
本実施形態において、前記ヘッドレスト支持フレーム２１は、前記テンションスプリング２７により、前記ヒンジピン２２を中心に前記係止片３５が前記カム部材３３に当接する側に併せて付勢されている。これにより、カム部材３３は、アッパフレーム１４に沿う下方への移動に伴いより堅固に、段差３３ｂで前記係止片３５に係止されつつ、該係止片３５に前記傾斜面３３ａが摺動されて、アッパフレーム１４及びヘッドレスト支持フレーム２１の本体部２１ａの間の相対距離を増加させる。そして、ヘッドレスト支持フレーム２１のサポートブラケット２３（ヘッドレストステー摺動用サポート２４）に支持されたヘッドレスト３１は、後方への戻り移動が規制されつつ、前方に移動する。
【００２９】
前記ロアフレーム１５の中央部には、車両前方に突出する態様で、ブラケット３６が固定されている。そして、このブラケット３６には、一端３７ａが前記カム部材３３に連結されたワイヤ３７の他端３７ｂが連結されている。そして、ワイヤ３７は、基本的にシートバック内でパッド裏面Ｐに当接又は隣接する態様で所定の余長をもって配索されている。なお、ワイヤ３７の一端３７ａは、前記ガイド溝１４ｂに案内される態様でカム部材３３に連結されている。
【００３０】
次に、本実施形態の動作について図２に基づき総括して説明する。なお、図２（ａ）は、ワイヤ３７が負荷のかかることなく緩んだ状態を示し、図２（ｂ）は、車両後突時の乗員Ｍの上半身の後方移動によりワイヤ３７が押されて引っ張られた状態を示す。
【００３１】
同図に示されるように、車両後突時の乗員Ｍの上半身の後方移動により前記ワイヤ３７が押されて引っ張られると、テンションスプリング３４に抗して前記カム部材３３がアッパフレーム１４に沿う下方に移動する。これにより、カム部材３３は、テンションスプリング２７に抗してヘッドレスト支持フレーム２１の本体部２１ａを押圧する。そして、ヘッドレスト支持フレーム２１は、ヒンジピン２２周りに一側方向（図２において反時計回転方向）に回動し、ヘッドレスト３１が前方に移動する。これにより、ヘッドレスト３１が乗員Ｍの頭部に接近して、該頭部を後側から支える。
【００３２】
このとき、乗員Ｍの頭部がヘッドレスト３１に衝突して、カム部材３３等に衝撃が加わっても、該カム部材３３は、段差３３ｂで係止片３５に係止されることでアッパフレーム１４に沿う上方への戻り移動が規制され、ヘッドレスト３１の後方への戻り移動が規制される。これにより、ヘッドレスト３１による頭部の支持を好適に行うことができる。なお、車両後突が終了すると、ヘッドレスト３１を前方に引き出して段差３３ｂにおけるカム部材３３の係止片３５との係止を解除することで、ワイヤ３７を緩めつつ、徐々に元の状態に復帰させることができる。
【００３３】
以上詳述したように、本実施形態によれば、以下に示す効果が得られるようになる。
（１）本実施形態では、前記ヘッドレスト３１の作動は、車両後突時の乗員Ｍの上半身の後方移動に基づいて、そのときに発生するワイヤ３７の張力を利用して行うため、例えば後突検知用のセンサを設けたり、該センサの検出信号に基づいて前記ヘッドレスト３１を適宜のアクチュエータにて駆動するといった複雑なシステムを構成する必要はなく、その構造を極めて簡易なものにできる。
【００３４】
また、前記ワイヤ３７の張力を解放することで、前記ヘッドレスト３１を容易に元の状態に復帰させることができるため、例えば軽度な後突により該ヘッドレスト３１が作動した場合であっても、繰り返し使用することができる。また、従来例のように見栄えを損なう操作レバーを設ける必要もない。
【００３５】
（２）本実施形態では、カム部材３３をアッパフレーム１４に沿う上方に付勢するテンションスプリング３４を設けたことで、該カム部材３３の意図しない下方への移動によって前記ヘッドレスト３１が誤作動したりすることを抑制できる。
【００３６】
（３）本実施形態では、前記カム部材３３は、段差３３ｂで係止片３５に係止されることでアッパフレーム１４に沿う上方への戻り移動が規制され、ヘッドレスト３１の後方への戻り移動が規制される。これにより、車両後突時において、ヘッドレスト３１による頭部の支持を好適に行うことができる。
【００３７】
（４）本実施形態では、ワイヤ３７は、所定の余長をもって配索されていることで、例えば乗員Ｍが急発進などで背中をシートバックに押し付けたり、ひざつき動作を行うなどする場合に、ヘッドレスト３１の誤作動を抑制することができる。
【００３８】
（５）本実施形態では、前記ヘッドレスト３１の作動に係る前記カム部材３３は、前記シートバックフレーム１１の上部に配置されて、シートバック内に収まっているため、前記ヘッドレスト３１をヘッドレスト支持フレーム２１のサポートブラケット２３（ヘッドレストステー摺動用サポート２４）に装着する際、前記カム部材３３に何ら制約を受けることはない。つまり、車両組付工程において前記ヘッドレスト３１を除いた車両用シートを予め車両に搭載し、その状態で前記ヘッドレスト３１を装着する場合であっても、該ヘッドレスト３１を前記ヘッドレスト支持フレーム２１のサポートブラケット２３に対し容易に装着することができる。また、前記ヘッドレスト３１を前記ヘッドレスト支持フレーム２１のサポートブラケット２３から容易に取り外すことができる。
【００３９】
なお、上記実施形態は以下のように変更してもよい。
・図３に示したように、ワイヤ３７の他端３７ｂを、ロアフレーム１５に支持されたダンパー機構４１に連結してもよい。このダンパー機構４１は、内部に粘性流体が充填されたドラムを備えるもので、車両前方に延出するレバー４１ａを有するとともに、該レバー４１ａを図示反時計回転方向に回動する側に付勢するテンションスプリング４１ｂを有する。そして、ワイヤ３７の他端３７ｂは、レバー４１ａに連結されている。従って、ワイヤ３７は、テンションスプリング４１ｂによりその張力が増加する側に付勢されている。このダンパー機構４１は、ワイヤ３７に緩やかに発生する張力を吸収するためのものである。これにより、例えば乗員Ｍが急発進などで背中をシートバックに押し付けたり、ひざつき動作を行うなどしてワイヤ３７に緩やかな張力が発生する場合には、該張力はダンパー機構４１にて吸収されることで、ヘッドレスト３１の誤作動を抑制することができる。
【００４０】
一方、車両後突時の乗員Ｍの上半身の後方移動によりワイヤ３７に急激な張力が発生する場合には、ダンパー機構４１による該張力の吸収を待たずして前記ワイヤ３７が引っ張られることで、前記ヘッドレスト３１の作動が許容される。なお、アッパフレーム１４（例えば延出部１４ａ）に同様のダンパー機構を支持し、該ダンパー機構にワイヤ３７の一端３７ａを連結してもよい。
【００４１】
・前記実施形態においては、ワイヤ３７の他端３７ｂをシートバックフレーム１１の下部（ブラケット３６）に連結したが、該シートバックフレーム１１の中間部に連結してもよい。具体的には、両サイドフレーム１２を、それぞれの中間部において、車両の幅方向に延びる適宜のフレームにて連結し、該フレームに設けた適宜のブラケットにワイヤ３７の他端３７ｂを連結すればよい。
【図面の簡単な説明】
【００４２】
【図１】本発明の一実施形態を示す斜視図。
【図２】（ａ）（ｂ）は、同実施形態の動作を示す側面図。
【図３】本発明の変形形態を示す側面図。
【符号の説明】
【００４３】
Ｍ…乗員、１１…シートバックフレーム、２１…ヘッドレスト支持フレーム、３１…ヘッドレスト、３３…カム部材、３３ａ…ラチェット機構を構成する傾斜面、３３ｂ…ラチェット機構を構成する段差、３４…テンションスプリング（付勢手段）、３５…ラチェット機構を構成する係止片、３６…ブラケット、３７…ワイヤ、３７ａ…一端、３７ｂ…他端、４１…ダンパー機構。
【図１】
2008074295.tif 000003
【図２】
2008074295.tif 000004
【図３】
2008074295.tif 000005